(57)【要約】      （修正有）【課題】オゾン発生管の取り付けピッチを小さくし、オゾン発生装置本体をコンパクト化する。【解決手段】オゾン発生管が相互に間隔をあけて並行して収容され、各オゾン発生管の各外周部との接触によってこれらを冷却する冷媒が供給される容器と、冷媒が供給される空間である冷媒室と冷媒が供給されない空間である気体室とを画し、各オゾン発生管の各両端部を支持するための支持孔が設けられ、各両端部を冷媒が供給されない空間（気体室）側に突出した状態で支持する一対の管板と、各オゾン発生管及び各支持孔の隙間を全周に亘って塞ぐように各オゾン発生管及び各管板の間に介在されることにより、各オゾン発生管を前記管板に対し気密に固定する気密固定具とを備えたオゾン発生装置において、気密固定具１０が、一体的に形成されることにより複数のオゾン発生管を同時に管板３に対し固定したものである。【選択図】図４
2010228973.tif 000002
【特許請求の範囲】
【請求項１】
両端部に原料ガスが流入する流入口及びオゾン化ガスが流出する流出口を有する複数のオゾン発生管と、
これらのオゾン発生管が相互に間隔をあけて並行して収容され、各オゾン発生管の各外周部との接触によってこれらを冷却する冷媒が供給される容器と、
冷媒が供給される空間と冷媒が供給されない空間とを画し、各オゾン発生管の各両端部を支持するための支持孔が設けられ、各両端部を冷媒が供給されない空間側に突出した状態で支持する一対の管板と、
各オゾン発生管及び各支持孔の隙間を全周に亘って塞ぐように各オゾン発生管及び各管板の間に介在されることにより、各オゾン発生管を前記管板に対し気密に固定する気密固定具、
とを備えたオゾン発生装置であって、
前記気密固定具が、一体的に形成されることにより複数のオゾン発生管を同時に管板に対し固定するものである、オゾン発生装置。
【請求項２】
前記気密固定具が、オゾン発生管及び支持孔の各隙間を全周に亘って塞ぐようにそれぞれ配される環状の弾性部材と、前記管板に係止されることにより各弾性部材をオゾン発生管及び支持孔の各隙間に気密に押し付ける押付部材とを備えた、請求項１に記載のオゾン発生装置。
【発明の詳細な説明】
【技術分野】
【０００１】
本発明は上下水処理、パルプ漂白などのようにオゾンを必要とする工業的分野で好適に使用することができるオゾン発生装置に関する。
【背景技術】
【０００２】
工業的規模のオゾン発生装置として、無声放電を利用して酸素を含む原料ガスをオゾン化するオゾン発生装置は、例えば、特許文献１、特許文献２などで公知である。従来のオゾン発生装置の構成は、例えば、図１、図２に示すように、両端部に原料ガスが流入する流入口及びオゾン化ガスが流出する流出口を有する複数のオゾン発生管４と、これらのオゾン発生管４が相互に間隔をあけて並行して収容され、各オゾン発生管４の各外周部との接触によってこれらを冷却する冷媒（通常、冷却水）Ａが供給される容器９と、冷媒Ａが供給される空間である冷媒室１と冷媒Ａが供給されない空間である気体室５とを画し、各オゾン発生管４の各両端部を支持するための支持孔１１が設けられ、各両端部を冷媒Ａが供給されない空間（気体室５）側に突出した状態で支持する一対の管板３と、各オゾン発生管４及び各支持孔１１の隙間２を全周に亘って塞ぐように各オゾン発生管４及び各管板３の間に介在されることにより各オゾン発生管４を管板３に対し気密に固定する気密固定具６と、を備えたものである。
【０００３】
ここで、気密固定具６は、オゾン発生管４及び支持孔１１の各隙間を全周に亘って塞ぐようにそれぞれ配される環状の弾性部材たるＯリング７と、管板３に係止されることにより各Ｏリング７をオゾン発生管４及び支持孔１１の各隙間に気密に押し付ける押付部材１５とを備えている。
【０００４】
冷媒室１には、熱交換器８を介して冷媒Ａが供給、循環されている。そして、冷媒Ａは循環使用されて閉管路を形成するので、冷媒室１の上部は冷媒の温度変化による膨張、収縮を吸収するために、大気に開放している。冷媒循環用の配管部材やオゾン発生管や冷媒室には、ステンレス鋼などを使用する。
【０００５】
図２は、オゾン発生管を管板に気密に貫通させる一般的な断面図である。図２において、冷媒室１側から隙間２を介して管板３を貫通するオゾン発生管４は、気体室５側から気密固定具６（Ｏリング７及び押付部材１５）を介して管板３に気密に固定される。従来、この気密固定具６としては、図３に示すような、断面円形のオゾン発生管に対応して円環状のものを用いている。なお、１３はオゾン発生管４を貫通し保持するための穴であり、１４は押付部材を管板３に係止するボルト及びナット等の係止部材を示す。
【０００６】
オゾン発生装置はその用途に応じて、また、必要とされる発生オゾン量に応じて、設置されるオゾン発生管の数に違いがあり、常に同じ型式の管配置のものが量産されるわけではなく、用途に応じて一品一品設計が異なるのが通常である。かかる場合、図３のような従来品の気密固定具を使用したのでは無駄な空間が生じ、特に、多数のオゾン発生管を配置するような場合には、無駄なスペースが生じていた。特に、オゾン発生管を２００本以上設置する様な場合には、オゾン発生装置本体が必要以上に大型化するという問題があった。
【０００７】
また、特許文献２では、外形が六角型の気密固定具の一例が示されているが、気密固定具を多数密接配置することによる効果等は何ら示唆されておらず、一体化といった記載もない。
【先行技術文献】
【特許文献】
【０００８】
【特許文献１】特開平６−２６３４０９号公報
【特許文献２】特開平９−３１５８０３号公報
【発明の概要】
【発明が解決しようとする課題】
【０００９】
本発明は、上記した従来技術の課題に鑑みてなされたものであり、その目的とするところは、オゾン発生管の取り付けピッチを小さくし、オゾン発生装置本体をコンパクト化することが可能なオゾン発生装置を提供することである。
【課題を解決するための手段】
【００１０】
本発明によれば、以下に示すオゾン発生装置が提供される。
［１］両端部に原料ガスが流入する流入口及びオゾン化ガスが流出する流出口を有する複数のオゾン発生管と、これらのオゾン発生管が相互に間隔をあけて並行して収容され、各オゾン発生管の各外周部との接触によってこれらを冷却する冷媒が供給される容器と、冷媒が供給される空間と冷媒が供給されない空間とを画し、各オゾン発生管の各両端部を支持するための支持孔が設けられ、各両端部を冷媒が供給されない空間側に突出した状態で支持する一対の管板と、各オゾン発生管及び各支持孔の隙間を全周に亘って塞ぐように各オゾン発生管及び各管板の間に介在されることにより、各オゾン発生管を前記管板に対し気密に固定する気密固定具、とを備えたオゾン発生装置であって、前記気密固定具が、一体的に形成されることにより複数のオゾン発生管を同時に管板に対し固定するものである、オゾン発生装置。
【００１１】
［２］前記気密固定具が、オゾン発生管及び支持孔の各隙間を全周に亘って塞ぐようにそれぞれ配される環状の弾性部材と、前記管板に係止されることにより各弾性部材をオゾン発生管及び支持孔の各隙間に気密に押し付ける押付部材とを備えた、上記［１］に記載のオゾン発生装置。
【発明の効果】
【００１２】
本発明によれば、従来のものに比して、オゾン発生管の設置密度を大きくすることができ、オゾン発生装置本体を小さくコンパクトなものにできる。さらに、オゾン発生装置の使用部品の点数を少なくすることができることから、オゾン発生装置の組み立て作業工程が簡略化できるという更なる効果がある。したがって、用途に応じて、オゾン発生管の個数を変更する必要があるような場合であっても、オゾン発生装置の組み立て作業工程の信頼性が高まると同時にコストダウンにもなる。
【図面の簡単な説明】
【００１３】
【図１】一般的なオゾン発生装置の正断面図である。
【図２】オゾン発生管を管板に気密に貫通させる態様を示す断面図である。
【図３】従来用いられている円環状の気密固定具の一例を示す説明図である。
【図４】本発明に用いる気密固定具の一実施形態を示す説明図である。
【図５】本発明に用いる気密固定具によりオゾン発生管を管板に気密に貫通させる態様を示す断面図である。
【発明を実施するための形態】
【００１４】
次に本発明を実施するための実施形態を図面を参照しながら詳細に説明するが、本発明は以下の実施形態に限定されるものではなく、本発明の趣旨を逸脱しない範囲で、当業
者の通常の知識に基づいて、適宜設計の変更、改良等が加えられることが理解されるべき
である。
【００１５】
本発明に係るオゾン発生装置の基本構成は従来と変わるものではなく、図１及び図２を参照すると、両端部に原料ガスが流入する流入口及びオゾン化ガスが流出する流出口を有する複数のオゾン発生管４と、これらのオゾン発生管４が相互に間隔をあけて並行して収容され、各オゾン発生管４の各外周部との接触によってこれらを冷却する冷媒Ａが供給される容器９と、冷媒Ａが供給される空間である冷媒室１と冷媒Ａが供給されない空間である気体室５とを画し、各オゾン発生管４の各両端部を支持するための支持孔１１が設けられ、各両端部を冷媒Ａが供給されない空間（気体室５）側に突出した状態で支持する一対の管板３と、各オゾン発生管４及び各支持孔１１の隙間２を全周に亘って塞ぐように管板３に係止され、各オゾン発生管４を管板３に対し気密に固定する気密固定具６とを備えたものである。
【００１６】
上記のオゾン発生装置において、本発明の特徴は、従来の気密固定具６（図３を参照）に代えて、図４に示すように、気密固定具１０が一体的に形成されることにより複数のオゾン発生管４を同時に管板に対し固定したものであることに存する。ここで、１３はオゾン発生管４を貫通し保持するための穴を示している。
【００１７】
より詳しく説明する。図４は、本発明に用いる気密固定具の一実施形態を示す説明図である。図４において、気密固定具１０は、従来１本のオゾン発生管に対し１個の気密固定具を用いていたことに対比して、複数のオゾン発生管を同時に管板に対し固定するように、一体的に構成したものである。言い換えると、複数のオゾン発生管に対応するように、複数の気密固定具を一体化して１つの気密固定具としたものといえる。
【００１８】
気密固定具１０は、図４の実施形態では、５本のオゾン発生管に対応したものであるが、これに限られないことはいうまでもない。より多数のオゾン発生管を支持できる構造の気密固定具であることが、使用部品の点数を少なくする観点からは望ましいが、一方、気密固定具を製造する困難性や製造コストを考慮すると、通常、１〜５本の範囲のオゾン発生管に対応したものが好ましい。
【００１９】
この気密固定具１０を用いることにより、従来の気密固定具に比して、オゾン発生管の設置密度を大きくすることができる。また、この気密固定具１０では、従来、複数の気密固定具を用いた際に隣り合っているボルト及びナットやワッシャー等を共通化したことになり、必要な気密固定具の個数を削減することができる。このことによって、オゾン発生装置の使用部品の点数を少なくすることができる。このことは、本発明にかかるオゾン発生装置の組み立て作業工程が簡略化できることを意味する。さらに、オゾン発生装置の組み立て作業の信頼性が高まると同時にコストダウンにもなる。
【００２０】
この気密固定具１０としては、可及的に汎用品を用いることによりコストアップを防止しようとする観点からすれば、例えば、図５に示すように、オゾン発生管４及び支持孔１１の各隙間２を全周に亘って塞ぐようにそれぞれ配されるＯリングなどの環状の弾性部材７と、管板３に係止されることにより各弾性部材７をオゾン発生管４及び支持孔１１の各隙間２に気密に押し付ける押付部材１５たる板状部材と、この押付部材１５を管板３に係止する係止部材１４たるボルト及びナットとを備えたものであることが好ましい。
【００２１】
なお、気密固定具の材質としては特に限定されないが、冷媒循環用の配管部材やオゾン発生管や冷媒室と同様に、ステンレス鋼などを使用することが好ましい。
【産業上の利用可能性】
【００２２】
本発明に係るオゾン発生装置は、上下水処理やパルプ漂白などのように、大量のオゾンを必要とする工業的分野で好適に使用することができる。
【符号の説明】
【００２３】
１  冷媒室
２  隙間
３  管板
４  オゾン発生管
５  気体室
６  気密固定具
７  Ｏリング
８  熱交換器
９  容器
１０  気密固定具
１３  オゾン発生管を貫通し保持するための穴
１４  係止部材
１５  押付部材
【図１】
2010228973.tif 000003
【図２】
2010228973.tif 000004
【図３】
2010228973.tif 000005
【図４】
2010228973.tif 000006
【図５】
2010228973.tif 000007